(57)【要約】【課題】画像全体としての色のバランスを向上させるとともに、色の対比効果の影響を抑制することができる画像調整装置を提供すること。【解決手段】入力画像の中で選択された対象領域の周囲領域の代表色を周囲色として抽出する周囲色抽出部２０と、対象領域および周囲色が予め対応付けられている複数の参照画像が格納されたデータベース２２から周囲色抽出部２０によって抽出された周囲色に類似した周囲色が対応付けられていることを抽出条件として、少なくとも１つの参照画像を抽出する参照画像抽出部２３と、参照画像抽出部２３によって抽出された参照画像の中から１つの参照画像が選択される参照画像選択部２４と、入力画像の対象領域における色調を参照画像選択部２４によって選択された参照画像の対象領域における色調に色成分毎に変更する色調変更部２５とを備える。【選択図】図２
2015008449.tif 000002
【特許請求の範囲】
【請求項１】
入力画像の中で選択された対象領域の色調を変更する画像調整装置であって、
前記対象領域の周囲領域の代表色を周囲色として抽出する周囲色抽出部と、
前記対象領域を設定した又は前記対象領域と前記周囲色とを対応付けした、複数の参照画像が格納されたデータベースと、
前記データベースから少なくとも１つの参照画像の選択を受け付ける参照画像選択部と、
前記入力画像の対象領域における色調を前記参照画像選択部によって選択された参照画像の対象領域における色調に色成分毎に変更する色調変更部と、を備え、
前記参照画像選択部は、前記データベースに格納された前記対象領域と前記周囲色とを対応付けした前記複数の参照画像から、前記周囲色に類似した周囲色が対応付けられていることを条件として、少なくとも１つの参照画像を一次選択したうえで、その一次選択された参照画像の中から１つの参照画像を選択する
ことを特徴とする画像調整装置。
【請求項２】
前記周囲色抽出部は、前記入力画像の対象領域のサイズが大きいほど、前記周囲領域のサイズを大きくとることを特徴とする請求項１に記載の画像調整装置。
【請求項３】
前記入力画像の対象領域の代表色を対象色として抽出する対象色抽出部と、
前記対象色抽出部によって抽出された対象色に類似した対象色が対応付けられていることを抽出条件として、少なくとも１つの参照画像を抽出する参照画像抽出部と、を備え、
前記データベースに格納された参照画像は、前記対象色が更に予め対応付けられ、
前記参照画像選択部は、前記参照画像抽出部によって抽出された参照画像の中から１つの参照画像を二次選択することを特徴とする請求項１または請求項２に記載の画像調整装置。
【請求項４】
前記入力画像の対象領域に表された対象物を判別する対象物判別部と、
前記対象物判別部によって判別された対象物が対応付けられていることを抽出条件として、少なくとも１つの参照画像を抽出する参照画像抽出部と、を備え、
前記データベースに格納された参照画像は、前記対象物が更に予め対応付けられ、
前記参照画像選択部は、前記参照画像抽出部によって抽出された参照画像の中から１つの参照画像を二次選択することを特徴とする請求項１乃至請求項３の何れかに記載の画像調整装置。
【請求項５】
入力画像の中で選択された対象領域の色調を変更する画像調整装置であって、
前記対象領域の周囲領域の代表色を周囲色として抽出する周囲色抽出部と、
前記対象領域を設定した又は前記対象領域と前記周囲色とを対応付けした、複数の参照画像が格納されたデータベースと、
前記データベースから少なくとも１つの参照画像の選択を受け付ける参照画像選択部と、
前記入力画像の対象領域における色調を前記参照画像選択部によって選択された参照画像の対象領域における色調に色成分毎に変更する色調変更部と、を備え、
前記参照画像選択部は、前記データベースに格納された前記対象領域を設定した前記複数の参照画像から、前記対象領域の外側を前記抽出した入力画像の周囲色又は類似色で塗りつぶした少なくとも１つの参照画像を表示部に表示してユーザーの選択を求める
ことを特徴とする画像調整装置。
【請求項６】
入力画像の中で選択された対象領域の色調を変更する画像調整装置が実行する画像調整方法であって、
前記対象領域の周囲領域の代表色を周囲色として抽出する周囲色抽出ステップと、
前記対象領域を設定した又は前記対象領域と前記周囲色とを対応付けした、複数の参照画像が格納されたデータベースから少なくとも１つの参照画像の選択を受け付ける参照画像選択ステップと、
前記入力画像の対象領域における色調を前記参照画像選択部によって選択された参照画像の対象領域における色調に色成分毎に変更する色調変更ステップと、を備え、
前記参照画像選択ステップでは、前記データベースに格納された前記対象領域と前記周囲色とを対応付けした前記複数の参照画像から、前記周囲色に類似した周囲色が対応付けられていることを条件として、少なくとも１つの参照画像を一次選択したうえで、その一次選択された参照画像の中から１つの参照画像を選択する
ことを特徴とする画像調整方法。
【請求項７】
前記周囲色抽出ステップでは、前記入力画像の対象領域のサイズが大きいほど、前記周囲領域のサイズを大きくとることを特徴とする請求項６に記載の画像調整方法。
【請求項８】
前記入力画像の対象領域の代表色を対象色として抽出する対象色抽出ステップを含み、
前記データベースに格納された参照画像は、前記対象色が更に予め対応付けられ、
前記参照画像選択ステップでは、前記対象色抽出ステップで抽出された対象色に類似した対象色が対応付けられていることを更に選択条件として、少なくとも１つの参照画像を二次選択することを特徴とする請求項６又は請求項７に記載の画像調整方法。
【請求項９】
前記入力画像の対象領域に表された対象物を判別する対象物判別ステップを含み、
前記データベースに格納された参照画像は、前記対象物が更に予め対応付けられ、
前記参照画像選択ステップでは、前記対象物判別ステップで判別された対象物が対応付けられていることを更に選択条件として、少なくとも１つの参照画像を二次選択することを特徴とする請求項６乃至請求項８の何れか１の請求項に記載の画像調整方法。
【請求項１０】
入力画像の中で選択された対象領域の色調を変更する画像調整装置を構成するコンピュータに実行させる画像調整プログラムであって、
前記対象領域の周囲領域の代表色を周囲色として抽出する周囲色抽出部と、
前記対象領域を設定した又は前記対象領域と前記周囲色とを対応付けした、複数の参照画像が格納されたデータベースから少なくとも１つの参照画像の選択を受け付ける参照画像選択ステップと、
前記入力画像の対象領域における色調を前記参照画像選択部によって選択された参照画像の対象領域における色調に色成分毎に変更する色調変更ステップと、を備え、
前記参照画像選択部は、前記データベースに格納された前記対象領域を設定した前記複数の参照画像から、前記対象領域の外側を前記抽出した入力画像の周囲色又は類似色で塗りつぶした少なくとも１つの参照画像を表示部に表示してユーザーの選択を求める
ことを特徴とする画像調整方法。
【請求項１１】
入力画像の中で選択された対象領域の色調を変更する画像調整装置を構成するコンピュータに実行させる画像調整プログラムであって、
前記対象領域の周囲領域の代表色を周囲色として抽出する周囲色抽出ステップと、
前記対象領域を設定した又は前記対象領域と前記周囲色とを対応付けした、複数の参照画像が格納されたデータベースから少なくとも１つの参照画像の選択を受け付ける参照画像選択ステップと、
前記入力画像の対象領域における色調を前記参照画像選択部によって選択された参照画像の対象領域における色調に色成分毎に変更する色調変更ステップと、を備え、
前記参照画像選択ステップでは、前記データベースに格納された前記対象領域と前記周囲色とを対応付けした前記複数の参照画像から、前記周囲色に類似した周囲色が対応付けられていることを条件として、少なくとも１つの参照画像を一次選択したうえで、その一次選択された参照画像の中から１つの参照画像を選択すること
を含む画像調整プログラム。
【請求項１２】
入力画像の中で選択された対象領域の色調を変更する画像調整装置を構成するコンピュータに実行させる画像調整プログラムであって、
前記対象領域の周囲領域の代表色を周囲色として抽出する周囲色抽出部と、
前記対象領域を設定した又は前記対象領域と前記周囲色とを対応付けした、複数の参照画像が格納されたデータベースから少なくとも１つの参照画像の選択を受け付ける参照画像選択ステップと、
前記入力画像の対象領域における色調を前記参照画像選択部によって選択された参照画像の対象領域における色調に色成分毎に変更する色調変更ステップと、を備え、
前記参照画像選択部は、前記データベースに格納された前記対象領域を設定した前記複数の参照画像から、前記対象領域の外側を前記抽出した入力画像の周囲色又は類似色で塗りつぶした少なくとも１つの参照画像を表示部に表示してユーザーの選択を求めること
を含む画像調整プログラム。
【請求項１３】
請求項１１又は請求項１２に記載の画像調整プログラムがコンピュータに読み取り可能に記録された記録媒体。
【発明の詳細な説明】
【技術分野】
【０００１】
本発明は、画像の中で選択された対象領域の色調を調整する画像調整装置に関する。
【背景技術】
【０００２】
従来、この種の画像調整装置としては、所望とする色階調を有する目標画像の選択を受け付けると共に、表示装置に表示された表示画像における領域の指定を受け付け、指定された領域に対して、所望とする領域の色階調を目標画像の色階調に変更するものが知られている（例えば、特許文献１参照）。
【０００３】
この構成により、従来の画像調整装置は、人物の顔などの画像中の特定の領域を所望の色および階調に変更することができるようにしていた。
【発明の概要】
【発明が解決しようとする課題】
【０００４】
しかしながら、このような従来の画像調整装置は、表示画像に表された人物と同一人物の画像を目標画像として検索するため、例えば、目標画像における背景の色調が表示画像のものと異なる場合には、画像全体としての色のバランスを悪くしてしまうことがあるといった課題があった。
【０００５】
また、従来の画像調整装置は、いわゆる色の対比効果の影響で、周囲の色の違いによって、同じ値の成分からなる色であっても異なる色に見られてしまったり、視覚的に期待通りの色とならなかったりすることがあるといった課題があった。
【０００６】
本発明は、上述したような課題を解決するためになされたもので、画像全体としての色のバランスを向上させるとともに、色の対比効果の影響を抑制することができる画像調整装置を提供することを目的とする。
【課題を解決するための手段】
【０００７】
上述した課題を解決し、目的を達成するために、本発明の画像調整装置は、入力画像の中で選択された対象領域の色調を変更する画像調整装置であって、前記対象領域の周囲領域の代表色を周囲色として抽出する周囲色抽出部と、前記対象領域を設定した又は前記対象領域と前記周囲色とを対応付けした、複数の参照画像が格納されたデータベースと、前記データベースから少なくとも１つの参照画像の選択を受け付ける参照画像選択部と、前記入力画像の対象領域における色調を前記参照画像選択部によって選択された参照画像の対象領域における色調に色成分毎に変更する色調変更部と、を備え、前記参照画像選択部は、前記データベースに格納された前記対象領域と前記周囲色とを対応付けした前記複数の参照画像から、前記周囲色に類似した周囲色が対応付けられていることを条件として、少なくとも１つの参照画像を一次選択したうえで、その一次選択された参照画像の中から１つの参照画像を選択する、構成を有している。
【発明の効果】
【０００８】
本発明は、画像全体としての色のバランスを向上させるとともに、色の対比効果の影響を抑制することができる画像調整装置を提供することができる。
【図面の簡単な説明】
【０００９】
【図１】本発明の第１の実施の形態に係る画像調整装置のハードウェア構成を示すブロック図である。
【図２】本発明の第１の実施の形態に係る画像調整装置の機能ブロック図である。
【図３】本発明の第１の実施の形態に係る画像調整装置によって参照される参照画の例を示す概念図である。
【図４】本発明の第１の実施の形態に係る画像調整装置の動作を説明するフローチャートである。
【図５】本発明の第２の実施の形態に係る画像調整装置の機能ブロック図である。
【図６】本発明の第３の実施の形態に係る画像調整装置の機能ブロック図である。
【図７】本発明の第３の実施の形態に係る画像調整装置によって参照される参照画の例を示し、（Ａ）は全体画像の概念図、（Ｂ）は参照画像の抽出範囲の一例の概念図、（Ｃ）は参照画像の概念図、（Ｄ）は参照画像の他例の概念図、（Ｅ）は参照画像の変形例の概念図である。
【図８】本発明の第３の実施の形態に係る画像調整装置の動作を説明するフローチャートである。
【発明を実施するための形態】
【００１０】
以下、本発明に係る画像調整装置の実施の形態について、図面を用いて説明する。
【００１１】
（第１の実施の形態）
図１に示すように、本発明の実施の形態に係る画像調整装置１は、ＣＰＵ（Central Processing Unit）２と、ＲＡＭ（Random Access Memory）３と、ＲＯＭ（Read Only Memory）４と、ハードディスク装置５と、表示装置６と、入力装置７と、入出力モジュール８と、通信モジュール９とを備えたコンピュータ装置によって構成されている。
【００１２】
表示装置６は、例えば、液晶ディスプレイによって構成される。入力装置７は、液晶ディスプレイ上に設けられたタッチパネル等のポインティングデバイスやキーボード装置によって構成される。
【００１３】
入出力モジュール８は、スキャナ装置や撮影装置等の外部機器１０が通信可能に接続できるようになっている。通信モジュール９は、インターネット等のネットワーク１１を介して外部装置１２と通信可能に接続できるようになっている。
【００１４】
ＣＰＵ２は、ＲＯＭ４およびハードディスク装置５に記憶されたプログラムをＲＡＭ３の一部に読み込み、ＲＡＭ３に読み込んだプログラムをＲＡＭ３の他の一部を作業領域として実行するようになっている。
【００１５】
ＲＯＭ４およびハードディスク装置５には、当該コンピュータ装置を画像調整装置１として機能させるためのプログラムが記憶されている。すなわち、当該プログラムを実行するＣＰＵ２により、当該コンピュータ装置は、画像調整装置１として機能する。
【００１６】
画像調整装置１は、例えば、ハードディスク装置５に格納された画像のうち、入力装置７によって選択された入力画像を対象として、入力画像の中で入力装置７によって選択された対象領域の色調を変更するようになっている。なお、本発明において、「色調」とは、画像中の領域における「色相」、「明度」、「彩度」のバランスのことをいう。
【００１７】
図２に示すように、画像調整装置１は、周囲色抽出部２０と、対象色抽出部２１と、データベース２２と、参照画像抽出部２３と、参照画像選択部２４と、色調変更部２５とを備えている。周囲色抽出部２０は、ＣＰＵ２によって構成され、入力画像の中で入力装置７によって選択された対象領域の周囲領域の代表色を周囲色として抽出するようになっている。
【００１８】
本実施の形態において、周囲色抽出部２０は、入力装置７によって選択された領域をそのまま対象領域として特定するようになっている。ここで、周囲色抽出部２０は、入力装置７によって選択された領域または画素をパラメータとした、公知のエッジ検出アルゴリズムに基づいて対象領域を特定するようにしてもよい。
【００１９】
周囲色抽出部２０は、対象領域の境界線に対して法線方向に距離Ｄだけ離れた境界線で囲われた入力画像内の領域のうち、対象領域を除いた領域を周囲領域として特定するようになっている。
【００２０】
本実施の形態において、周囲色抽出部２０は、入力画像のサイズＳに対して、予め実験的に定められた定数Ｘ１を除することによって距離Ｄ（＝Ｓ／Ｘ１）を算出するようになっている。
【００２１】
周囲色抽出部２０は、入力画像の面積の平方根を入力画像のサイズＳとして算出するようになっている。ここで、周囲色抽出部２０は、入力画像の縦と横とのうち長いほうの１／４を入力画像のサイズＳとして算出するようにしてもよい。
【００２２】
なお、周囲色抽出部２０は、対象領域のサイズＳｒに対して、予め実験的に定められた定数Ｘ２を除することによって距離Ｄ（＝Ｓｒ／Ｘ２）を算出するようにしてもよい。この場合には、周囲色抽出部２０は、対象領域の面積の平方根を入力画像のサイズＳｒとして算出するように構成される。ここで、周囲色抽出部２０は、対象領域に外接する矩形の縦と横とのうち大きいほうの１／４を対象領域のサイズＳｒとして算出するようにしてもよい。
【００２３】
このように、周囲色抽出部２０が対象領域のサイズＳｒに応じて周囲領域のサイズを大きくとることにより、対象領域と周囲領域との面積比が大きくなることが抑制されるため、いわゆる色の対比効果の影響がより抑制される。
【００２４】
周囲色抽出部２０は、周囲領域を特定すると、周囲領域内の各画素の色を色成分空間にマッピングし、クラスタリングを行うようになっている。本実施の形態において、周囲色抽出部２０は、周囲領域内の各画素の色をＲＧＢ色空間にマッピングし、公知のK-means
法を用いて３つのクラスタにクラスタリングを行うようになっている。
【００２５】
なお、周囲色抽出部２０は、周囲領域内の各画素の色をＲＧＢ色空間に代えて、Ｌａｂ色空間、ＣＭＹ色空間、ＨＳＶ色空間、および、ＨＬＳ色空間等の他の色空間にマッピングしてもよい。また、周囲色抽出部２０は、K-means法に代えて、最小平均分散法等の他
のクラスタリング法を用いてクラスタリングを行うようにしてもよい。
【００２６】
周囲色抽出部２０は、クラスタリングが完了すると、画素数が最も多いクラスタの平均色を周囲領域の代表色、すなわち、周囲色として抽出するようになっている。
【００２７】
対象色抽出部２１は、ＣＰＵ２によって構成され、入力画像の対象領域の代表色を対象色として抽出するようになっている。具体的には、対象色抽出部２１は、周囲色抽出部２０と同様に、対象領域内の各画素の色を色成分空間にマッピングし、クラスタリングを行い、画素数が最も多いクラスタの平均色を対象領域の代表色、すなわち、対象色として抽出するようになっている。
【００２８】
データベース２２は、ハードディスク装置５によって構成され、データベース２２には、複数の参照画像が格納されている。参照画像としては、背景画像の色調が多彩であり、視覚的に全体の色調のバランスがとれている模範的なものが選別されている。例えば、参照画像としては、背景画像に対する人肌の色調が良好に表されているものが選別されている。
【００２９】
データベース２２には、各参照画像に対応して、対象領域、周囲色および対象色が予め特定されて対応付けられている。なお、各参照画像に対して、複数の対象領域が予め特定されて対応付けられていてもよい。この場合には、各対象領域に対して対象色が予め特定されて対応付けられる。
【００３０】
例えば、図３に示す参照画像においては、「空」、「山」、「顔」、「服」および「木」をそれぞれ表す対象領域が対応付けられている。「空」を表す対象領域に対しては、対象色として、（Ｒ，Ｇ，Ｂ）＝（２０４，２５５，２５５）が対応付けられ、周囲色として（Ｒ，Ｇ，Ｂ）＝（５１，２０２，２５５）が対応付けられている。
【００３１】
また、「山」を表す対象領域に対しては、対象色として、（Ｒ，Ｇ，Ｂ）＝（５１，２０２，２５５）が対応付けられ、周囲色として（Ｒ，Ｇ，Ｂ）＝（２０４，２５５，２５５）が対応付けられている。
【００３２】
また、「顔」を表す対象領域に対しては、対象色として、（Ｒ，Ｇ，Ｂ）＝（２５５，２０４，１５３）が対応付けられ、周囲色として（Ｒ，Ｇ，Ｂ）＝（２５５，１５３，０）が対応付けられている。
【００３３】
また、「服」を表す対象領域に対しては、対象色として、（Ｒ，Ｇ，Ｂ）＝（２５５，１５３，０）が対応付けられ、周囲色として（Ｒ，Ｇ，Ｂ）＝（２５５，２０４，１５３）が対応付けられている。
【００３４】
また、「木」を表す対象領域に対しては、対象色として、（Ｒ，Ｇ，Ｂ）＝（０，１２８，０）が対応付けられ、周囲色として（Ｒ，Ｇ，Ｂ）＝（２０４，２５５，２５５）が対応付けられている。
【００３５】
なお、各対象色に対して、複数の周囲色が予め特定されて対応付けられていてもよい。
【００３６】
図２において、参照画像抽出部２３は、ＣＰＵ２によって構成され、周囲色抽出部２０によって抽出された周囲色に類似した周囲色が対応付けられていること、および、対象色抽出部２１によって抽出された対象色に類似した対象色が対応付けられていることを抽出条件として、データベース２２から少なくとも１つの参照画像を抽出するようになっている。
【００３７】
例えば、参照画像抽出部２３は、周囲色抽出部２０によって抽出された周囲色（Ｒｉ，Ｇｉ，Ｂｉ）と、データベース２２に格納された各参照画像に対応付けられた周囲色（Ｒｎ，Ｇｎ，Ｂｎ）との間のＲＧＢ色空間における距離ｄを以下に示す式に基づいて算出するようになっている。
【００３８】
【数１】
2015008449.tif 000003
ここで、距離ｄは、周囲色の類似度を比較するために用いる値であるため、参照画像抽出部２３は、周囲色評価値Ｅｃ（＝ｄ２）を算出するようにしてもよい。周囲色評価値Ｅｃを算出する方が演算負荷が軽くなるため、以下の説明において、参照画像抽出部２３は、周囲色評価値Ｅｃを算出するものとする。
【００３９】
また、参照画像抽出部２３は、周囲色と同様に、対象色抽出部２１によって抽出された対象色と、データベース２２に格納された各参照画像に対応付けられた対象色との間の対象色評価値Ｅｔを算出するようになっている。
【００４０】
参照画像抽出部２３は、予め定められた重みｗｃが付けられた周囲色評価値Ｅｃと予め定められた重みｗｔが付けられた対象色評価値Ｅｔとの和を評価値Ｅ（＝ｗｃ×Ｅｃ＋ｗｔ×Ｅｔ）として、評価値Ｅが小さい順に予め定められた数の参照画像をデータベース２２から抽出するようになっている。
【００４１】
ここで、ｗｃは、ｗｔに対して大きめに定められている。なお、参照画像抽出部２３は、評価値Ｅが小さい順に予め定められた数の参照画像をデータベース２２から抽出するのに代えて、評価値Ｅが予め定められた値以下の参照画像をデータベース２２から抽出するようにしてもよい。
【００４２】
また、参照画像の対象色に複数の周囲色が対応付けられている場合には、参照画像抽出部２３は、最も小さな周囲色評価値Ｅｃを選択するようになっている。なお、参照画像の対象色に複数の周囲色が対応付けられている場合には、参照画像抽出部２３は、複数の周囲色から得られる周囲色評価値Ｅｃの平均値を参照画像の周囲色評価値Ｅｃとしてもよい。
【００４３】
また、参照画像の対象色に複数の周囲色が対応付けられている場合には、参照画像抽出部２３は、各周囲色が参照画像の周囲領域に占める面積比率と、当該周囲色から得られる周囲色評価値Ｅｃとを乗じて得られる値の平均値を参照画像の周囲色評価値Ｅｃとしてもよい。
【００４４】
参照画像選択部２４は、ＣＰＵ２と、入力装置７とによって構成され、参照画像抽出部２３によって抽出された参照画像の中から１つの参照画像が選択されるようになっている。
【００４５】
本実施の形態において、参照画像選択部２４は、参照画像抽出部２３によって抽出された参照画像を表示装置６に表示させるようになっている。参照画像選択部２４は、参照画像のなかで対象領域が識別できるように、対象領域を破線で囲む等の画像処理を施して、表示装置６に表示させるようにしてもよい。
【００４６】
参照画像選択部２４は、参照画像抽出部２３によって抽出された参照画像から入力装置７を介して選択された１つの参照画像を選択するようになっている。なお、参照画像抽出部２３によって抽出された参照画像が１つの場合には、参照画像選択部２４は、当該参照画像を表示装置６に表示させることなく、当該参照画像を選択するようになっている。
【００４７】
色調変更部２５は、ＣＰＵ２によって構成され、入力画像の対象領域における色調を参照画像選択部２４によって選択された参照画像の対象領域における色調に色成分毎に変更するようになっている。
【００４８】
色調変更部２５は、参照画像選択部２４によって選択された参照画像の対象領域における色成分毎のレベルの平均値と分散とを算出し、入力画像の対象領域における色成分毎のレベルの平均値と分散とが、算出した平均値と分散となるように、入力画像の対象領域における各画素の色を色成分毎に変更するようになっている。
【００４９】
例えば、色調変更部２５は、非特許文献１に開示されたような公知の技術を適用することによって、入力画像の対象領域における色調を色成分毎に変更するようにしてもよい。
【００５０】
以上のように構成された画像調整装置１の動作について図４を参照して説明する。
【００５１】
まず、入力画像の対象領域とその周囲領域とが周囲色抽出部２０によって特定される（ステップＳ１）。次いで、入力画像の対象領域の周囲領域の代表色である周囲色が周囲色抽出部２０によって抽出される（ステップＳ２、周囲色抽出ステップ）。
【００５２】
また、入力画像の対象領域の代表色である対象色が対象色抽出部２１によって抽出される（ステップＳ３、対象色抽出ステップ）。次いで、ステップＳ２およびＳ３で抽出された周囲色および対象色に基づいて、データベース２２から少なくとも１つの参照画像が参照画像抽出部２３によって抽出される（ステップＳ４、参照画像抽出ステップ）。
【００５３】
次いで、参照画像抽出部２３によって抽出された参照画像の中から１つの参照画像が参照画像選択部２４によって選択される（ステップＳ５、参照画像選択ステップ）。次いで、入力画像の対象領域における色調が、参照画像選択部２４によって選択された参照画像の対象領域における色調となるように色調変更部２５によって色成分毎に変更される（ステップＳ６、色調変更ステップ）。
【００５４】
このように、対象領域における色調が変更された入力画像は、ＣＰＵ２によって表示装置６に表示され、入力装置７を介した指示により、ハードディスク装置５に記憶されたり、入出力モジュール８または通信モジュール９を介して外部機器１０または外部装置１２に送信されたりする。
【００５５】
以上に説明したように、本実施の形態は、入力画像の対象領域だけでなく、対象領域の周囲領域が類似した参照画像を基にして、入力画像の対象領域の色調を調整するため、画像全体としての色のバランスを向上させるとともに、色の対比効果の影響を抑制することができる。
【００５６】
（第２の実施の形態）
本実施の形態は、ハードディスク装置５に記憶されたプログラムを変更することにより実現される。すなわち、本実施の形態のハードウェア構成は、図１を参照して説明した本発明の第１の実施の画像調整装置１と同一である。
【００５７】
なお、本実施の形態においては、本発明の第１の実施の形態に係る画像調整装置１と同様な構成要件には、同一の符号を付し、相違点について説明する。
【００５８】
図５に示すように、本実施の形態に係る画像調整装置３０は、周囲色抽出部２０と、対象色抽出部２１と、データベース２２と、参照画像抽出部２３と、参照画像選択部２４と、色調変更部２５とに加えて、対象物判別部３１を備えている。
【００５９】
本実施の形態において、データベース２２には、各参照画像に対応して、対象領域、周囲色および対象色に加えて、対象領域に表された対象物が予め特定されて対応付けられている。
【００６０】
対象物判別部３１は、ＣＰＵ２によって構成され、入力画像の対象領域に表された対象物を判別するようになっている。画像に表された物体を判別する技術については、例えば、非特許文献２に開示されているため、詳細な説明を省く。
【００６１】
本発明の第２の実施の形態において、参照画像抽出部２３は、参照画像の対象領域に表された対象物と、対象物判別部３１によって判別された対象物とが同一であるか否か、より詳細には、色彩的に同一分類であるか否かを判断するようになっている。参照画像抽出部２３は、この判断結果を用いてデータベース２２から参照画像を抽出するときに、抽出する参照画像を絞り込むようになっている。
【００６２】
以上のように構成された画像調整装置３０の動作については、図４を参照して説明した本発明の第１の実施の形態に係る画像調整装置１の動作に基づいて、容易に想到できるため、その説明を省略する。
【００６３】
以上に説明したように、本実施の形態は、本発明の第１の実施の形態と同様な効果が得られる。また、本実施の形態は、参照画像の対象領域に表された対象物と、対象物判別部３１によって判別された対象物とが同一であるか否か、より詳細には、色彩的に同一分類であるか否かを判断し、この判断結果を用いてデータベース２２から参照画像を抽出するときに、抽出する参照画像を絞り込むため、より最適かつ高速に参照画像を抽出することができる。
【００６４】
なお、本発明は、上述した実施の形態に限定されず、本発明の技術思想の範囲内において、本発明の実施の形態の中で示唆した以外にも、本発明の実施の形態は、適宜変更され得ることは明らかである。
【００６５】
例えば、本発明の実施の形態において、入力画像は、ハードディスク装置５に格納されているものとして説明したが、本発明においては、入出力モジュール８または通信モジュール９を介して外部機器１０または外部装置１２から入力されたものでもよい。
【００６６】
また、本発明の実施の形態において、参照画像を格納するデータベース２２は、ハードディスク装置５によって構成されているものとして説明したが、本発明においては、入出力モジュール８または通信モジュール９を介して接続された外部機器１０または外部装置１２によって構成してもよい。
【００６７】
このようにデータベース２２を外部機器１０または外部装置１２によって構成することにより、画像調整装置１毎に複数の参照画像を格納する必要がなくなる。したがって、複数の画像調整装置１が設けられたシステムにおいては、参照画像の追加や変更等のデータベース２２のメンテナンスにかかるコストが低減する。
【００６８】
また、本発明の実施の形態において、色調変更部２５は、参照画像選択部２４によって選択された参照画像の対象領域における色成分毎のレベルの平均値と分散とを算出するものとして説明した。
【００６９】
これに対し、データベース２２に格納された各参照画像の対象領域における色成分毎のレベルの平均値と分散とを予め算出しておき、データベース２２において各参照画像の対象領域に対して、平均値と分散とを対応付けておくようにしてもよい。
【００７０】
この場合には、色調変更部２５は、参照画像選択部２４によって選択された参照画像の対象領域における色成分毎のレベルの平均値と分散とを算出するのに代えて、参照画像選択部２４によって選択された参照画像の対象領域における色成分毎のレベルの平均値と分散とをデータベース２２から取得するように構成する。
【００７１】
（第３の実施の形態）
本実施の形態は、ハードディスク装置５に記憶されたプログラムを変更することにより実現される。すなわち、本実施の形態のハードウェア構成は、図１を参照して説明した本発明の第１の実施の画像調整装置１と同一である。
【００７２】
なお、本実施の形態においては、本発明の第１の実施の形態に係る画像調整装置１と同様な構成要件には、同一の符号を付し、相違点について説明する。
【００７３】
図６に示すように、本実施の形態に係る画像調整装置４０は、周囲色抽出部２０と、対象色抽出部２１と、データベース２２と、参照画像表示部４３と、参照画像選択部２４と、色調変更部２５と、を備えている。
【００７４】
データベース２２は、ハードディスク装置５によって構成され、データベース２２には、複数の参照画像が格納されている。
【００７５】
参照画像には、対象物の色調のバリエーションが多彩に選別されている。本実施の形態では、対象物の色諧調のバリエーションが良好なものが適切である。
【００７６】
したがって、データベース２２には、各参照画像に対して、対象領域と対象色が予め特定されて対応付けられている。なお、各参照画像に対して、複数の対象領域が予め特定されて対応付けられていてもよい。この場合には、各対象領域に対して対象色が予め特定されて対応付けられる。なお、このデータベース２２では参照画像の周囲色については問わない。
【００７７】
ここで、図３の場合で説明すると、顔の領域が平均色（Ｒ，Ｇ，Ｂ）＝（２５５，２０４，１５３）となっている。このときに、入力画像が人間の顔である場合、その周囲色（代表値）が、（Ｒ，Ｇ，Ｂ）＝（３２，２４，２２）であったとする。
【００７８】
この場合、参照画像表示部４３は、図７（Ａ）の人体写真の顔の部分を参照画像とするのであれば、ＣＰＵ２は、表示装置６に、図７（Ｂ）に示すように、髪の毛等の周囲を含む形で顔の周辺部分を抜き出して表示するのではなく、図７（Ｃ）に示すように、顔のみを入力画像として表示するとともにその対象領域の周囲を対象物である顔の周囲色で埋めて表示をする。
【００７９】
これをすることで、周囲色と顔との関係において髪の毛等が介在することなく、入力画像の対象物の周囲色に近似される状態で参照画像の対象物の色を確認することができるため、参照画像の色調が正しく入力画像に転写できたときに、対比効果の影響が少なく入力画像の全体としてのイメージと合わせることができる。
【００８０】
このため、本実施の形態では、参照画像表示部４３でデータベース２２から抽出された参照画像によって入力装置７を介して抽出された１つの参照画像を選択するようになっている。なお、参照画像表示部４３によって選択された参照画像が１つの場合には、参照画像選択部２４は、当該参照画像を表示装置６に表示させることなく、当該参照画像を自動的に選択するようになっている。
【００８１】
色調変更部２５は、ＣＰＵ２によって構成され、入力画像の対象領域における色調を参照画像選択部２４によって選択された参照画像の対象領域における色調に色成分毎に変更するようになっている。
【００８２】
色調変更部２５は、参照画像選択部２４によって選択された参照画像の対象領域における色成分毎のレベルの平均値と分散とを算出し、入力画像の対象領域における色成分毎のレベルの平均値と分散とが、算出した平均値と分散となるように、入力画像の対象領域における各画素の色を色成分毎に変更するようになっている。
【００８３】
例えば、色調変更部２５は、非特許文献１に開示されたような公知の技術を適用することによって、入力画像の対象領域における色調を色成分毎に変更するようにしてもよい。  以上のように構成された画像調整装置１の動作について図５を参照して説明する。
【００８４】
まず、入力画像の対象領域とその周囲領域とが周囲色抽出部２０によって特定される。次いで、入力画像の対象領域の周囲領域の代表色である周囲色が周囲色抽出部２０によって抽出される。
【００８５】
また、入力画像の対象領域の代表色である対象色が対象色抽出部２１によって抽出される。次いで、抽出された周囲色および対象色に基づいて、データベース２２から参照画像が複数抽出され、参照画像表示部４３によって表示される。このときに表示装置６に表示する参照画像は、図７（Ｃ）に示すように、対象領域の外側を入力画像の周囲色の色で埋めたもので表示する。
【００８６】
参照画像のデータベース２２から関連する画像を抽出する際には、対象領域のカテゴリーを分けてもよいが、全ての中から好みのものを選ぶという形態も可能である。
【００８７】
例えば、１つの参照画像に複数の対象物が入っている場合は、参照画像を選択するステップと、その参照画像の中にある複数の対称の中からさらに一つの対象を選択するというステップが含まれていても良い。
【００８８】
さらに、上述したように、入力画像の周囲色を（１２８，１２８，１２８）とするとともに、図７（Ｄ）に示すように、眉毛・目・口といったように、ひと肌ではない顔の色部分をさらに抜き出して抜出穴とし、その抜出穴も周囲色で埋めてもよい。これにより、対象領域の選択時に、対象領域の範囲を正確に知ることができる。なお、抜出穴を形成した場合に、その抜出穴を周囲色ではなく、図７（Ｅ）に示すように、人の手といったオリジナルコンテンツを表示するような表示も可能である。
【００８９】
いずれの場合においても、入力画像の比較という点においてはどちらにもメリットがあるので、これらは表示を切り替えることで対応するといった応用も考えられる。
【００９０】
以上のように構成された画像調整装置１の動作について図８を参照して説明する。
【００９１】
まず、入力画像の対象領域とその周囲領域とが周囲色抽出部２０によって特定される（ステップＳ１）。
【００９２】
次いで、入力画像の対象領域の周囲領域の代表色である周囲色が周囲色抽出部２０によって抽出される（ステップＳ２、周囲色抽出ステップ）。
【００９３】
また、入力画像の対象領域の代表色である対象色が対象色抽出部２１によって抽出される（ステップＳ３、対象色抽出ステップ）。
【００９４】
次いで、ステップＳ２およびＳ３で抽出された周囲色および対象色に基づいて、データベース２２から対象となる少なくとも１つの参照画像が参照画像表示部４３によって抽出され（ステップＳ１４、参照画像抽出ステップ）、その参照画像の対象物の外側の色が参照画像表示部４３によって周囲色に置き換えられたうえで表示装置に表示される（ステップＳ１５、参照画像表示ステップ）。
【００９５】
次いで、参照画像表示部４３によって抽出された参照画像の中から１つの参照画像が参照画像選択部２４によって選択される（ステップＳ１６，参照画像選択ステップ）。
【００９６】
次いで、入力画像の対象領域における色調が、参照画像選択部２４によって選択された参照画像の対象領域における色調となるように色調変更部２５によって色成分毎に変更される（ステップＳ６、色調変更ステップ）。
【００９７】
このように、対象領域における色調が変更された入力画像は、ＣＰＵ２によって表示装置６に表示され、入力装置７を介した指示により、ハードディスク装置５に記憶されたり、入出力モジュール８または通信モジュール９を介して外部機器１０または外部装置１２に送信されたりする。
【００９８】
以上に説明したように、本実施の形態は、入力画像の対象領域だけでなく、対象領域の周囲領域が類似した参照画像を基にして、入力画像の対象領域の色調を調整するため、画像全体としての色のバランスを向上させるとともに、色の対比効果の影響を抑制することができる。
【００９９】
ところで、本発明の実施の形態においては、ＣＰＵ２によって実行されるプログラムが、ＲＯＭ４およびハードディスク装置５に記憶されているものとしているが、これに限定されるものではない。
【０１００】
すなわち、本発明の各実施の形態で実行されるプログラムを、インストール可能な形式または実行可能な形式のファイルでＣＤ−ＲＯＭ、フレキシブルディスク、ＣＤ−Ｒ、ＤＶＤ（Digital Versatile Disc）等のコンピュータで読み取り可能な記録媒体に記録してコンピュータプログラムプロダクトとして提供してもよい。
【０１０１】
また、本発明の各実施の形態で実行されるプログラムを、インターネット等のネットワークに接続されたコンピュータ上に格納し、ネットワーク経由でダウンロードさせることにより提供するように構成してもよい。また、本発明の各実施の形態で実行されるプログラムをインターネット等のネットワーク経由で提供または配布するように構成してもよい。
【符号の説明】
【０１０２】
１、３０  画像調整装置
２０  周囲色抽出部
２１  対象色抽出部
２２  データベース
２３  参照画像抽出部
２４  参照画像選択部
２５  色調変更部
３１  対象物判別部
【先行技術文献】
【特許文献】
【０１０３】
【特許文献１】特許第４４２１７６１号公報
【非特許文献】
【０１０４】
【非特許文献１】田中豪、外２名、「色相ヒストグラムを用いたデジタルカラー画像    間の色転写法」、第２４回ファジィシステムシンポジウム、２００８年１２月、    ｐｐ．９５−９６
【非特許文献２】柳井啓司、「一般物体認識の現状と今後」、情報処理学会論文誌「    コンピュータビジョンとイメージメディア」、Ｖｏｌ．４８、２００７年１１月
【図１】
2015008449.tif 000004
【図２】
2015008449.tif 000005
【図４】
2015008449.tif 000006
【図５】
2015008449.tif 000007
【図６】
2015008449.tif 000008
【図８】
2015008449.tif 000009
【図３】
2015008449.tif 000010
【図７】
2015008449.tif 000011